(57)【特許請求の範囲】
【請求項１】
タッチ式入力装置であって、
抵抗膜と、
前記抵抗膜の外周の一部に沿って形成される電極と、
前記抵抗膜とギャップを隔てて設けられた導体と、
前記電極から引き出された第１配線と、
前記導体と接続される第２配線と、
を備え、ユーザがタッチした位置において、前記抵抗膜と前記導体が接触可能に構成され、
前記導体は、前記タッチ式入力装置が搭載される電子機器の金属の一部分であることを特徴とするタッチ式入力装置。
【請求項２】
前記第１配線と前記第２配線は、単一のケーブルに収容され、前記ケーブル内で同一平面に離間して設けられ、
前記第１配線および前記第２配線は、前記ケーブルの端部において同一面側に露出していることを特徴とする請求項１に記載のタッチ式入力装置。
【請求項３】
前記第１配線と前記第２配線は、単一のケーブルに収容され、前記ケーブル内で同一平面に離間して設けられ、
前記第１配線および前記第２配線は、前記ケーブルの端部において互いに反対側の面に露出し、前記ケーブルは前記端部において前記電極と前記導体に挟まれることを特徴とする請求項１に記載のタッチ式入力装置。
【請求項４】
前記第１配線と前記第２配線は、単一のケーブルに収容され、前記ケーブル内で絶縁層を挟んだ積層構造を有し、
前記第１配線および前記第２配線は、前記ケーブルの端部において同一面側に露出していることを特徴とする請求項１に記載のタッチ式入力装置。
【請求項５】
前記第１配線と前記第２配線は、単一のケーブルに収容され、前記ケーブル内で絶縁層を挟んだ積層構造を有し、
前記第１配線および前記第２配線は、前記ケーブルの端部において互いに反対側の面に露出し、前記ケーブルは前記端部において前記電極と前記導体に挟まれることを特徴とする請求項１に記載のタッチ式入力装置。
【請求項６】
請求項１から５のいずれかに記載のタッチ式入力装置と、
前記タッチ式入力装置の前記第１配線、前記第２配線と接続され、ユーザの入力を検出する制御回路と、
を備えることを特徴とする電子機器。
【請求項７】
前記制御回路は、ユーザのタッチの有無を検出することを特徴とする請求項６に記載の電子機器。
【請求項８】
前記制御回路は、ユーザがタッチした位置の前記電極と垂直方向の座標を検出することを特徴とする請求項６に記載の電子機器。
【発明の詳細な説明】
【技術分野】
【０００１】
本発明は、抵抗膜を用いたタッチ式入力装置に関する。
【背景技術】
【０００２】
スマートホン、タブレット端末、ノート型やポータブルオーディオ機器、デジタルカメラ、ゲーム機器、カーナビゲーション装置などの電子機器は、指で接触することによって電子機器を操作するための入力装置を備えるものが主流となっている。こうした入力装置として、抵抗膜式のタッチパネル（タッチセンサ）などが知られている（特許文献１）。
【先行技術文献】
【特許文献】
【０００３】
【特許文献１】特開２００９−４８２３３号公報
【発明の概要】
【発明が解決しようとする課題】
【０００４】
図１（ａ）、（ｂ）は、抵抗膜式タッチパネルの構造を示す図である。抵抗膜式タッチパネル（以下、単にタッチパネルという）９００は、第１抵抗膜９０２、第２抵抗膜９０４を備える。第１抵抗膜９０２と第２抵抗膜９０４は、Ｚ方向に離間して設けられる。第１抵抗膜９０２には、Ｘ方向に延びる２辺に沿って、第１電極９０６、第２電極９０８が形成される。第２抵抗膜９０４には、Ｙ方向に延びる２辺に沿って、第３電極９１０、第４電極９１２が形成される。４本の電極と接続される配線（あるいは端子）ＸＰ，ＸＮ，ＹＰ，ＹＮは、共通の一辺９１４側から引き出されている。
【０００５】
タッチの検出は、配線ＸＰに所定電圧ＶＰを、配線ＹＮに電圧ＶＮを印加した状態で行われる。この状態においてユーザがタッチパネル９００に接触すると、接触した座標に応じて、配線ＸＮ，ＹＰに発生する電気的状態、すなわち電圧や電流が変化する。したがって配線ＸＮ，ＹＰの電気的状態を測定することで、座標を計算することができる。
【０００６】
図１（ｂ）には、抵抗膜９２０と電極９２２の接合部の断面が示されている。電極９２２は、ある高さｈを有している。このため、電極９２２の近傍には、座標を検知することができないデッドスペース（無効領域）９２４  が生ずる。このような事情から、パネルの幅（長さ）は、座標検出が可能な領域の幅（長さ）よりも、無効領域の分だけ大きくなる。無効領域の大きさは、抵抗膜や電極の材料やメーカーに依存するが、現状では、０．４ｍｍ〜１０ｍｍ程度大きくなる。タッチパネル９００の面積が十分に大きい場合、これはたいした問題とはならない。しかしながら、たとえば３ｃｍのパネルにおいて、両端に１ｃｍの無効領域が必要であれば、有効な領域は１ｃｍとなってしまう。
【０００７】
本発明は係る課題に鑑みてなされたものであり、そのある態様の例示的な目的のひとつは、無効領域を小さくしたタッチ式の入力装置の提供にある。
【課題を解決するための手段】
【０００８】
本発明のある態様は、タッチ式入力装置に関する。タッチ式入力装置は、抵抗膜と、抵抗膜の外周の一部に沿って形成される電極と、抵抗膜と離間して設けられた導体と、電極から引き出された第１配線と、導体と接続される第２配線と、を備え、ユーザがタッチした位置において、抵抗膜と導体が接触可能に構成される。
【０００９】
第１配線および第２配線の間のインピーダンス（抵抗値）は、タッチした位置（入力位置）と電極の間の距離に応じて変化する。したがって、入力の有無、あるいは入力位置の１次元座標を検出できる。この態様では電極は１本であるため、電極により生ずる無効領域の面積を、４線の抵抗膜式タッチパネルに比べて小さくできる。また４線の抵抗膜式タッチパネルに比べて配線を２本に減らせるため、構造を簡略化できる。
【００１０】
第１配線と第２配線は、単一のケーブルに収容され、ケーブル内で同一平面に離間して設けられ、第１配線および第２配線は、ケーブルの端部において同一面側に露出していてもよい。
【００１１】
第１配線と第２配線は、単一のケーブルに収容され、ケーブル内で同一平面に離間して設けられてもよい。第１配線および第２配線は、ケーブルの端部において互いに反対側の面に露出し、ケーブルは端部において電極と導体に挟まれてもよい。
【００１２】
第１配線と前記第２配線は、単一のケーブルに収容され、ケーブル内で絶縁層を挟んだ積層構造を有してもよい。第１配線および第２配線は、ケーブルの端部において同一面側に露出していてもよい。
【００１３】
第１配線と第２配線は、単一のケーブルに収容され、ケーブル内で絶縁層を挟んだ積層構造を有してもよい。第１配線および第２配線は、ケーブルの端部において互いに反対側の面に露出し、ケーブルは端部において電極と導体に挟まれてもよい。
【００１４】
導体は、タッチ式入力装置が搭載される電子機器の金属の一部分であってもよい。
【００１５】
導体は、メッシュ構造を有してもよい。これによりタッチ式入力装置が透明となり、ディスプレイなどに重ねて配置することが可能となる。
【００１６】
本発明の別の態様は、電子機器に関する。電子機器は、上述のいずれかのタッチ式入力装置と、タッチ式入力装置の第１配線、第２配線と接続され、ユーザの入力を検出する制御回路と、を備えてもよい。
【００１７】
制御回路は、ユーザのタッチの有無を検出してもよい。この場合、スイッチとして用いることができる。
制御回路は、ユーザがタッチした位置の電極と垂直方向の座標を検出してもよい。この場合、スライド式の入力装置として用いることができる。
【００１８】
なお、以上の構成要素を任意に組み合わせたもの、あるいは本発明の表現を、方法、装置などの間で変換したものもまた、本発明の態様として有効である。
【発明の効果】
【００１９】
本発明のある態様によれば、タッチ式の入力装置の無効領域を小さくできる。
【図面の簡単な説明】
【００２０】
【図１】図１（ａ）、（ｂ）は、抵抗膜式タッチパネルの構造を示す図である。
【図２】実施の形態に係るタッチ式入力装置の斜視図である。
【図３】図２のタッチ式入力装置の等価回路図である。
【図４】タッチ位置ＰｕのＸ座標と、第１配線と第２配線の間の抵抗値の関係を示す図である。
【図５】図５（ａ）、（ｂ）は、図２のタッチ式入力装置の有効領域および無効領域を示す図であり、図５（ｃ）は、図１のタッチパネルの有効領域および無効領域を示す図である。
【図６】図６（ａ）〜（ｃ）は、タッチ式入力装置を制御する制御回路の回路図である。
【図７】図７（ａ）〜（ｃ）は、タッチ式入力装置の第１構成例の構造を示す図である。
【図８】図８（ａ）、（ｂ）は、タッチ式入力装置の第２構成例の構造を示す図である。
【図９】図９（ａ）、（ｂ）は、タッチ式入力装置の第３構成例の構造を示す図である。
【図１０】図１０（ａ）、（ｂ）は、タッチ式入力装置の第４構成例の構造を示す図である。
【図１１】タッチ式入力装置の第５構成例を示す図である。
【図１２】タッチ式入力装置を備える電子機器を示す図である。
【発明を実施するための形態】
【００２１】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２２】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２３】
図２は、実施の形態に係るタッチ式入力装置１００の斜視図である。なお本明細書に示される各部材は、発明の理解の容易化、説明の簡潔化のため、適宜、拡大あるいは縮小しており、したがって各部材の寸法の大小関係は、図示のそれに限定されるものではない。
【００２４】
タッチ式入力装置１００は、抵抗膜１０、導体１２、電極１４、第１配線１６、第２配線１８、を備える。ここでは便宜的に、抵抗膜１０を含む面内にＸ軸およびＹ軸を定義し、それと垂直な方向にＺ軸を定義する。抵抗膜１０と導体１２は、ＸＹ平面と平行であり、オーバーラップしてＺ軸方向にギャップを隔てて配置される。電極１４は、抵抗膜１０の外周の一部分、具体的にはその１辺Ｅ１に沿って形成される。第１配線１６は電極１４から引き出されており、第２配線１８は導体１２と接続される。第２配線１８は、第１配線１６が引き出される辺Ｅ１と同じ側から引き出してもよい。
【００２５】
タッチ式入力装置１００は、ユーザがタッチした位置において、抵抗膜１０と導体１２が接触可能に構成される。この点に関しては、従来の４線の抵抗膜式タッチパネルと同様の技術を用いればよい。本実施の形態では、導体１２は固定されており、抵抗膜１０が変形可能であり、抵抗膜１０側にタッチすることで、抵抗膜１０と導体１２が接触する。
【００２６】
以上がタッチ式入力装置１００の基本構成である。続いてその動作原理を説明する。図３は、図２のタッチ式入力装置１００の等価回路図である。Ｐｕはユーザがタッチした位置を示す。ユーザがタッチした位置Ｐｕと電極１４の間の抵抗値Ｒｘは、それらのＸ方向の距離ｘに応じている。導体１２の抵抗値は十分に低く、実質的にゼロと近似したとすれば、第１配線１６と第２配線１８の間の抵抗値Ｒｚは、Ｒｘ＋Ｒｃとなる。Ｒｃは、抵抗膜１０と導体１２の接触抵抗であり、一定値とみなすことができる。また第１配線１６と第２配線１８の抵抗値も、抵抗膜１０のそれに比べて十分に小さいので、実質的にゼロと仮定できる。
【００２７】
図４は、タッチ位置ＰｕのＸ座標と、第１配線１６と第２配線１８の間の抵抗値の関係を示す図である。ここではＸ軸を、電極１４を原点（０）とし、電極１４から離れるほどｘ座標が増加する方向に定義している。抵抗膜１０の電極１４とタッチ位置Ｐｕの間の抵抗値Ｒｘは、距離ｘに応じて増加するが、増加の程度は、抵抗膜１０の形状などに依存する。抵抗膜１０がＹ方向の幅が狭ければ、Ｒｘはｘに対して比例する。なお、Ｙ方向の幅が太くなると比例関係から逸脱しうるが、いずれにせよ、第１配線１６と第２配線１８の間の抵抗値は、ユーザが接触した位置ＰｕのＸ座標と１対１で対応する。図４の特性は、パネルごとにあらかじめ測定しておいてもよい。なお非接触の状態は、ｘ＝無限大を意味し、したがってＲｚも無限大となる。
【００２８】
以上がタッチ式入力装置１００の動作原理である。このタッチ式入力装置１００によれば、抵抗値Ｒｚを直接的あるいは間接的に測定することにより、タッチの有無、あるいはタッチ位置ＰｕのＸ座標を測定できる。
【００２９】
図５（ａ）、（ｂ）は、図２のタッチ式入力装置１００の有効領域および無効領域を示す図である。なお比較のために図５（ｃ）に図１のタッチパネル９００の有効領域および無効領域を示す。なお無効領域にはハッチングを付す。図２のタッチ式入力装置１００は、抵抗膜１０上に形成され、Ｙ方向に延びる１本の電極１４のみを備える。したがって図５（ａ）、（ｂ）に示すようにＸ方向に関しては、電極１４が設けられる一辺Ｅ１側においてのみ無効領域２２が存在し、一辺Ｅ１と対向する別の一辺Ｅ２側には無効領域は存在せず、したがって領域２４が有効となる。またＹ方向に関しては、両辺Ｅ３，Ｅ４ともに電極が形成されないため、抵抗膜１０の幅全体が有効領域２６となる。
【００３０】
したがって、図２のタッチ式入力装置１００によれば、図１のタッチパネル９００に比べて、パネル全体の面積に占める有効領域の比率を各段に高めることができる。つまり図２のタッチ式入力装置１００によれば、図５（ａ）に示すように、図１のタッチパネル９００と比べて、同じパネルの面積に対して、より大きな有効領域を得ることができる。あるいは図５（ｂ）に示すように、図１のタッチパネル９００と比べて、同じ有効領域の面積を、より小さなパネル面積で実現できる。これらの効果は、パネルの面積が小さいほど顕著である。
【００３１】
また４線の抵抗膜式タッチパネルに比べて配線を２本に減らせるため、構造を簡略化できる。また図１のタッチパネル９００では、２枚の抵抗膜９０２，９０４のアライメントに精度が要求されるが、図２のタッチ式入力装置１００では、抵抗膜１０と導体１２はオーバーラップしていればよいため、製造が簡単である。
【００３２】
図６（ａ）〜（ｃ）は、タッチ式入力装置１００を制御する制御回路の回路図である。上述のようにタッチ位置を検出するには、第１配線１６と第２配線１８の間の抵抗値Ｒｚを直接的、あるいは間接的に測定する必要がある。制御回路２００は、第１配線１６および第２配線１８と接続され、タッチの有無あるいはタッチ位置を検出する。
【００３３】
図６（ａ）の制御回路２００ａは、電圧源２０２、電流センサ２０４および演算回路２２０を備える。電圧源２０２は、第１配線１６と第２配線１８の間に、所定電圧Ｖｘを印加する。電流センサ２０４はこのときに流れる電流Ｉｘを測定する。電流Ｉｘは、
Ｉｘ＝Ｖｘ／Ｒｚ
で表される。演算回路２２０は、電流Ｉｘの測定値と所定電圧Ｖｘにもとづいて、タッチ位置の座標を、計算あるいはテーブル参照により取得する。
【００３４】
図６（ｂ）の制御回路２００ｂは、基準抵抗２０６、電圧源２０８、電圧センサ２１０および演算回路２２０を備える。基準抵抗２０６は既知の抵抗値ＲＲＥＦを有し、第１配線１６と第２配線１８の一方（図６（ｂ）では１８）と接地の間に設けられる。電圧源２０８は、第１配線１６と第２配線１８の他方（図６（ｂ）では１６）に、既知の電圧Ｖｘを印加する。電圧センサ２１０は、第１配線１６と第２配線１８の一方（図６（ｂ）では１８）の電圧Ｖｚを測定する。電圧Ｖｚは、電圧Ｖｘを抵抗ＲｚとＲＲＥＦで分圧した値を有する。
Ｖｚ＝Ｖｘ×ＲＲＥＦ／（Ｒｚ＋ＲＲＥＦ）
演算回路２２０は、電圧Ｖｚと所定電圧Ｖｘ、基準抵抗ＲＲＥＦにもとづいて、タッチ位置の座標を計算により、あるいはテーブル参照により取得する。
【００３５】
図６（ｃ）の制御回路２００ｃは、電流源２１２、電圧センサ２１４および演算回路２２０を備える。第１配線１６と第２配線１８の一方（ここでは１８）は接地される。電流源２１２は、第１配線１６と第２配線１８の他方（ここでは１６）に、既知の定電流ＩＲＥＦを供給する。電圧センサ２１４は、第１配線１６に生ずる電圧Ｖｚを測定する。電圧Ｖｚは、
Ｖｚ＝ＩＲＥＦ×Ｒｚ
で表される。演算回路２２０は、電圧Ｖｚおよび電流ＩＲＥＦにもとづいてタッチ位置の座標を計算により、あるいはテーブル参照により取得する。
【００３６】
なお制御回路２００の構成は、図６（ａ）〜（ｃ）の制御回路２００ａ〜２００ｃには限定されない。たとえば４線式の抵抗膜式タッチパネルの制御回路を用いて、タッチ式入力装置１００を制御してもよい。
【００３７】
図７（ａ）〜（ｃ）は、タッチ式入力装置１００の第１構成例１００ａの構造を示す図である。図７（ａ）に示すように第１配線１６および第２配線１８は、単一のケーブル３００に収容される。ケーブル３００内で、第１配線１６と第２配線１８は、同一平面に離間して設けられ、絶縁体３０１で被覆される。ケーブル３００の端部３０２には、同一面Ｓ１に、第１配線１６、第２配線１８に連通する開口３０４，３０６が設けられ、したがって第１配線１６および第２配線１８は、ケーブル３００の端部３０２において同一面Ｓ１側に露出している。
【００３８】
図７（ｂ）に示すようにケーブル３００は、面Ｓ１が下側となるように、つまり抵抗膜１０、導体１２と対向するように配置される。第１配線１６は、開口３０４を介して抵抗膜１０に形成される電極１４と電気的、機械的に接続される。また第２配線１８は、開口３０６を貫通するポスト３０を介して導体１２と接続される。ポストは、はんだであってもよいし、導電性の接着剤であってもよいし、コンタクト内に形成されたスルーホールであってもよい。
【００３９】
図８（ａ）、（ｂ）は、タッチ式入力装置１００の第２構成例１００ｂの構造を示す図である。図７（ａ）と同様に、第１配線１６と第２配線１８は、同一平面内に離間して設けられる。図８（ａ）に示すように、第１配線１６は第１面Ｓ１側から露出し、第２配線１８は第２面Ｓ２側から露出する。ケーブル３００は、その端部において抵抗膜１０と導体１２に挟まれている。第１配線１６はポスト３２を介して電極１４と接続され、第２配線１８はポスト３０を介して導体１２と接続される。
【００４０】
図８（ａ）、（ｂ）の構成例１００ｂは以下の利点を有する。図７（ｂ）の構成では、抵抗膜１０をポスト３０の分だけ、導体１２に対してオフセットする必要がある。言い換えれば、ポスト３０に対応する領域と、電極１４に対応する領域が、無効領域２２となる。これに対して図８（ｂ）の構造では、ポスト３０に対応する領域と、ポスト３２（電極１４）に対応する領域がオーバーラップするため、無効領域２２のＸ軸方向の長さをさらに小さくできる。
【００４１】
図９（ａ）、（ｂ）は、タッチ式入力装置１００の第３構成例１００ｃの構造を示す図である。この構成例１００ｃでは、第１配線１６と第２配線１８はＺ方向に積層される。第１配線１６と第２配線１８は、ケーブル３００の端部において、同一面Ｓ１側から露出している。第１配線１６はポスト３０を介して電極１４と接続され、第２配線１８はポスト３２を介して導体１２と接続される。この構成例１００ｃによれば、第１配線１６と第２配線１８を積層することにより、ケーブル３００の横方向の幅を小さくできる。
【００４２】
図１０（ａ）、（ｂ）は、タッチ式入力装置１００の第４構成例１００ｄの構造を示す図である。第３構成例１００ｃと同様に第１配線１６と第２配線１８はＺ方向に積層される。ケーブル３００の端部において、第１配線１６は第１面Ｓ１側から、第２配線１８は第２面Ｓ２側から露出している。第１配線１６はポスト３０を介して電極１４と接続され、第２配線１８はポスト３２を介して導体１２と接続される。この構成例１００ｄによればケーブルの幅を小さくできる。また第３構成例１００ｃに比べて無効領域２２のＸ軸方向の長さを小さくできる。
【００４３】
図１１は、タッチ式入力装置１００の第５構成例１００ｅを示す図である。この構成例１００ｅにおいて、導体１２は、タッチ式入力装置１００が搭載される電子機器５００の金属５２０の一部分である。たとえば金属５２０は、電子機器５００の筐体であってもよいし、シャーシであってもよい。つまり、金属５２０の一部分に、抵抗膜１０を重ね合わせることにより、タッチ式入力装置１００ｅが形成される。
【００４４】
続いてタッチ式入力装置１００の用途を説明する。図１２は、タッチ式入力装置１００を備える電子機器５００を示す図である。電子機器５００の種類は特に限定されず、スマートホンやタブレット端末、デジタルスチルカメラ、デジタルビデオカメラ、ポータブルオーディオプレイヤ、ノート型ＰＣ、ポータブルゲーム機器、ディスプレイ装置、カーナビゲーション装置、ゲーム機器やそのコントローラ、各種リモコン装置などであり得る。ここでは電子機器５００は、カーナビゲーション装置である。カーナビゲーション装置５００は、自動車のコンソールに取り付けられる。カーナビゲーション装置５００は、ディスプレイパネル５０２に加えて、少なくともひとつの入力装置５０４，５０６，５０８を備える。入力装置５０４，５０６，５０８は、上述したタッチ式入力装置１００である。たとえば入力装置５０４，５０６は、接触、非接触の２状態を検出するボタン（スイッチ）として利用される。たとえばボリュームアップ、ボリュームダウンのボタンや、地図の拡大、縮小のボタン、カーソルボタン、カーナビゲーション装置５００の電源ボタン、その他、任意の機能が割り当てられたボタンとして用いることができる。
【００４５】
また入力装置５０８は、タッチ入力の位置（座標）を検出可能である。ユーザが入力装置５０８に触れながら、矢印５１０に沿って指を移動させると、入力装置５０８はタッチ位置の移動を検出できる。このような入力装置５０８は、スライド式のボリューム、スライド式の拡大縮小ボタンなどとして利用できる。
【００４６】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００４７】
（第１変形例）
導体１２は、メッシュ構造を有してもよい。これにより導体１２が透明となるため、従来の抵抗膜式タッチパネルと同様に、ディスプレイパネル上にタッチ式入力装置１００を重ねて配置することが可能となる。
【００４８】
（第２変形例）
実施の形態では、抵抗膜１０が変形可能であり、ユーザが抵抗膜１０側にタッチする構造を説明したが本発明はそれには限定されない。導体１２が抵抗膜１０と同程度の柔軟性を有する場合、導体１２を変形可能として、ユーザが導体１２側にタッチする態様で使用してもよい。
【００４９】
（第３変形例）
実施の形態では、抵抗膜１０および導体１２が矩形の場合を説明したが、抵抗膜１０、導体１２の形状は特に限定されない。たとえば抵抗膜１０および導体１２の形状は互いに異なっていてもよく、また円形や楕円形であってもよいし、テーパーを有する台形や三角形であってもよい。
【００５０】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５１】
１００…タッチ式入力装置、１０…抵抗膜、１２…導体、１４…電極、１６…第１配線、１８…第２配線、２００…制御回路、２０２…電圧源、２０４…電流センサ、２０６…基準抵抗、２０８…電圧源、２１０…電圧センサ、２１２…電流源、２１４…電圧センサ、２２０…演算回路、３００…ケーブル、３０１…絶縁体、３０２…端部、Ｓ１…第１面、Ｓ２…第２面、５００…電子機器。
【図１】
0006563788.tif 000002
【図２】
0006563788.tif 000003
【図３】
0006563788.tif 000004
【図４】
0006563788.tif 000005
【図５】
0006563788.tif 000006
【図６】
0006563788.tif 000007
【図７】
0006563788.tif 000008
【図８】
0006563788.tif 000009
【図９】
0006563788.tif 000010
【図１０】
0006563788.tif 000011
【図１１】
0006563788.tif 000012
【図１２】
0006563788.tif 000013